(57)【要約】【課題】設定された用紙のサイズと、給紙された用紙のサイズとが異なる場合に、用紙詰まりなどの不具合が発生することを防止できる画像形成装置を提供する。【解決手段】用紙収容部から給紙された用紙のサイズがユーザにより設定された用紙のサイズより大きく、且つ、後続の用紙が用紙収容部から給紙中の場合、画像形成装置は後続の用紙の給紙を一時的に停止する。その後、画像形成装置は所定時間を待機し、給紙を再開する。給紙終了後、画像形成装置は、装置内に残留している用紙を排紙し、メッセージ表示などを行ってユーザに不具合の発生を報知する。【選択図】図４
2009102099.tif 000002
【特許請求の範囲】
【請求項１】
用紙を収容する用紙収容部と、
用紙に画像を形成する画像形成部と、
該画像形成部へ用紙を搬送する用紙搬送部と、
前記用紙収容部から前記用紙搬送部へ用紙を供給する給紙部と、
前記用紙搬送部が搬送する用紙のサイズを検出する検出部と、
画像を形成する用紙のサイズに係る設定を受け付ける受付部と、
前記検出部が検出した用紙のサイズが、前記受付部が受け付けた設定に係る用紙のサイズより大きいか否かを判定するサイズ判定部と、
後続の用紙が前記給紙部により給紙中であるか否かを判定する給紙判定部と、
前記サイズ判定部が大きいと判定し、且つ、前記給紙判定部が給紙中と判定した場合に、前記給紙部に前記後続の用紙の給紙を停止させ、所定時間経過後に給紙を再開させる制御を行う給紙制御部と
を備えることを特徴とする画像形成装置。
【請求項２】
前記所定時間は、前記用紙収容部に収容可能な最大の用紙を前記給紙部が給紙する周期と、前記受付部が受け付けた設定に係るサイズの用紙を前記給紙部が給紙する周期との差に相当する時間であること
を特徴とする請求項１に記載の画像形成装置。
【請求項３】
前記給紙制御部は、前記給紙判定部により給紙中でないと判定された場合に、後続の用紙の給紙を行わないように前記給紙部を制御すること
を特徴とする請求項１又は請求項２に記載の画像形成装置。
【請求項４】
前記検出部が検出した用紙のサイズが、前記受付部が受け付けた設定に係る用紙のサイズより大きい場合に、前記用紙収容部から用紙を排紙する排紙口までの用紙の搬送経路中に存在する用紙を、前記排紙口へ搬送して排紙する排紙部を更に備えること
を特徴とする請求項１乃至請求項３のいずれか１つに記載の画像形成装置。
【請求項５】
前記検出部が検出した用紙のサイズが、前記受付部が受け付けた設定に係る用紙のサイズより大きい場合に、報知を行う報知部を更に備えること
を特徴とする請求項１乃至請求項４のいずれか１つに記載の画像形成装置。
【発明の詳細な説明】
【技術分野】
【０００１】
本発明は、設定された用紙のサイズと、給紙された用紙のサイズとが異なるエラーが発生した場合に、用紙詰まりなどの不具合が発生することを防止できる画像形成装置に関する。
【背景技術】
【０００２】
従来、コピー機、プリンタ又はファクシミリ等のように、用紙に画像を形成する画像形成装置が広く普及している。画像形成装置は、複数枚の用紙を収容するカセット又はトレイ等の用紙収容部を備え、用紙の連続的な給紙及び画像形成を行うことができる。連続的な画像形成を行う際に、ユーザに設定された用紙のサイズと、用紙収容部から給紙した用紙のサイズとが一致しないことを検知した場合、画像形成装置は給紙を停止すると共に、装置内に残留する給紙済みの用紙を排紙する。その後、画像形成装置は、不具合が発生した旨を通知するメッセージなどを液晶ディスプレイに表示することで、ユーザに用紙のサイズの再確認及び再設定を促す。
【０００３】
しかし、設定された用紙のサイズより給紙した用紙のサイズが大きい場合、画像形成装置は設定された用紙のサイズに応じたタイミングで用紙の給紙及び搬送を行う。このため、装置内に残留した用紙を全て排紙する前に、複数の用紙を重ねて搬送して紙詰まり、所謂重送ジャムが発生し、画像形成装置が強制的に停止する場合が多い。例えば、設定された用紙のサイズがＢ４サイズであり、給紙した用紙のサイズがＡ３サイズの場合、用紙収容部から先行の用紙の給紙が完了していないにもかかわらず後続の用紙の給紙が開始され、重送ジャムが発生する。画像形成装置が強制的に停止した場合には、画像形成装置内に残留した用紙を、ユーザが筺体のカバーを開けるなどして取り除かなければならない。
【０００４】
特許文献１においては、用紙サイズの設定ミスによる機械停止での用紙の機内残留を少なくすることができ、且つ、用紙サイズの設定が正常な場合の画像形成の生産性を高くすることができる画像形成装置が提案されている。この画像形成装置は、ユーザが用紙サイズの設定を変更したか否かを検出し、変更していない場合には短い周期で用紙を供給する。用紙サイズの設定を変更した場合には、設定ミスが発生する可能性があるため、画像形成装置は長い周期で用紙を供給する。
【０００５】
特許文献２においては、用紙を検出するセンサを搭載するためのコストを上昇することなく、用紙サイズの設定を間違った場合に紙詰まりなどの不具合を発生させることなく、用紙を機外に排出できる画像形成装置が提案されている。この画像形成装置は、用紙サイズの不一致を検知した場合、用紙の後端がレジストローラを通過するタイミングまで待機して、レジストローラを停止する。
【０００６】
特許文献３においては、用紙サイズの不一致による不具合の発生を防止できる画像形成装置が提案されている。この画像形成装置は、搬送した用紙のサイズを測定し、測定したサイズが設定されたサイズに合致するかを判定する。判定の結果、用紙のサイズが合致しない場合には、画像形成装置は用紙の搬送路上に残留する用紙を排出トレイへ排出する。
【特許文献１】特開２００４−１５５５２２号公報
【特許文献２】特開平１０−１９４５２９号公報
【特許文献３】特開２００７−４１１０６号公報
【発明の開示】
【発明が解決しようとする課題】
【０００７】
しかしながら、特許文献１に記載の画像形成装置は、用紙サイズの設定が変更された場合に、長い周期で用紙の給紙を行うため、画像形成の完了までに通常より長い時間を要する。用紙サイズの設定が正しく行われた場合であっても画像形成装置は長い周期で給紙を行うため、設定を正しく行ったユーザにとって、画像形成の完了までに長い時間を要することが煩わしいという問題がある。また、給紙カセットに異なるサイズの用紙が混入した場合、この画像形成装置は重送ジャムなどの不具合を発生する虞がある。
【０００８】
特許文献２に記載の画像形成装置は、画像形成のためにレジストローラが搬送した用紙が、用紙サイズの誤設定によりレジストローラに挟まれた状態で停止することを防止するものである。よって、連続的に用紙を供給する場合に、複数の用紙が重なった状態で搬送される不具合を解決し得るものではない。
【０００９】
特許文献３に記載の画像形成装置は、給紙した用紙のサイズが設定された用紙のサイズより小さい場合に、誤って給紙された用紙を確実に排出することを目的とするものである。よって、給紙した用紙のサイズが設定された用紙のサイズより大きい場合に、複数の用紙が重なった状態で搬送される不具合を解決し得るものではない。
【００１０】
本発明は、斯かる事情に鑑みてなされたものであって、その目的とするところは、給紙した用紙のサイズが設定された用紙のサイズより大きい場合に、複数の用紙が重なって搬送され、紙詰まりが発生することを防止できる画像形成装置を提供することにある。
【課題を解決するための手段】
【００１１】
本発明に係る画像形成装置は、用紙を収容する用紙収容部と、用紙に画像を形成する画像形成部と、該画像形成部へ用紙を搬送する用紙搬送部と、前記用紙収容部から前記用紙搬送部へ用紙を供給する給紙部と、前記用紙搬送部が搬送する用紙のサイズを検出する検出部と、画像を形成する用紙のサイズに係る設定を受け付ける受付部と、前記検出部が検出した用紙のサイズが、前記受付部が受け付けた設定に係る用紙のサイズより大きいか否かを判定するサイズ判定部と、後続の用紙が前記給紙部により給紙中であるか否かを判定する給紙判定部と、前記サイズ判定部が大きいと判定し、且つ、前記給紙判定部が給紙中と判定した場合に、前記給紙部に前記後続の用紙の給紙を停止させ、所定時間経過後に給紙を再開させる制御を行う給紙制御部とを備えることを特徴とする。
【００１２】
また、本発明に係る画像形成装置は、前記所定時間が、前記用紙収容部に収容可能な最大の用紙を前記給紙部が給紙する周期と、前記受付部が受け付けた設定に係るサイズの用紙を前記給紙部が給紙する周期との差に相当する時間であることを特徴とする。
【００１３】
また、本発明に係る画像形成装置は、前記給紙制御部が、前記給紙判定部により給紙中でないと判定された場合に、後続の用紙の給紙を行わないように前記給紙部を制御することを特徴とする。
【００１４】
また、本発明に係る画像形成装置は、前記検出部が検出した用紙のサイズが、前記受付部が受け付けた設定に係る用紙のサイズより大きい場合に、前記用紙収容部から用紙を排紙する排紙口までの用紙の搬送経路中に存在する用紙を、前記排紙口へ搬送して排紙する排紙部を更に備えることを特徴とする。
【００１５】
また、本発明に係る画像形成装置は、前記検出部が検出した用紙のサイズが、前記受付部が受け付けた設定に係る用紙のサイズより大きい場合に、報知を行う報知部を更に備えることを特徴とする。
【００１６】
本発明においては、カセット又はトレイ等の用紙収容部から給紙した用紙のサイズを画像形成装置が検出し、検出した用紙のサイズとユーザが設定した用紙のサイズとを比較する。なお、用紙のサイズは、用紙の先端から後端までを搬送するのに要する時間と、搬送速度とから算出することができる。また、用紙のサイズの比較は、用紙の搬送方向に関してのサイズ（長さ）を比較すればよい。給紙した用紙のサイズが設定された用紙のサイズより大きい場合、画像形成装置は、後続の用紙が用紙収容部から給紙中であるか否かを調べる。
【００１７】
後続の用紙が給紙中の場合には、給紙を継続することによって先行の用紙と後続の用紙とが重なる可能性がある。よってこの場合、画像形成装置は後続の用紙の給紙を一時的に停止し、用紙の重なりが発生しない十分な所定時間を経過した後に給紙を再開する。後続の用紙が給紙中でない場合には、画像形成装置は後続の用紙を供給しない。その後、画像形成装置は、装置内に残留している用紙を排紙し、液晶ディスプレイへのメッセージ表示などを行ってユーザに不具合の発生を報知する。
【００１８】
また、給紙を待機する所定時間は、画像形成装置が扱うことができる最大サイズの用紙、例えば用紙収容部に収容できる最大サイズの用紙を供給する周期と、設定されたサイズの用紙を供給する周期との差に相当する時間とする。これにより、先行の用紙のサイズが最大であっても、用紙の重なりが発生することがない。
【発明の効果】
【００１９】
本発明による場合は、給紙した用紙のサイズが設定された用紙のサイズより大きい場合に、後続の用紙の給紙を適切な時間待機させることによって、画像形成装置は複数の用紙が重なって搬送されることを防止できる。よって、用紙のサイズの誤設定に伴って発生する紙詰まりなどの不具合を防止でき、ユーザが装置内に残留した用紙を取り除く手間が必要ないため、画像形成装置の利便性を向上することができる。
【発明を実施するための最良の形態】
【００２０】
以下、本発明をその実施の形態を示す図面に基づき具体的に説明する。なお、本実施の形態においては、画像形成装置としてMultiFunction Peripheral（ＭＦＰ）を例に説明を行う。図１は、本発明に係るＭＦＰの構成を示すブロック図である。図において１はＭＦＰであり、原稿を複写するコピー機能、公衆電話回線網９０を介してデータの送受信を行うファクシミリ機能、原稿を読み取るスキャナ機能、及び与えられた画像を用紙に印刷するプリンタ機能等の複数の機能を備えている。ＭＦＰ１は、公衆電話回線網９０を介して他のＭＦＰ１及びファクシミリ等の通信機器に接続され、これらの機器との間で音声信号による画像の送受信を行うことができる。また、ＭＦＰ１は、通信ケーブルなどを介してPersonal Computer（ＰＣ）２に接続され、ＰＣ２との間でデータの送受信を行うことができる。
【００２１】
ＭＦＰ１は、各種の演算処理及びＭＦＰ１内の各部の制御処理等を行う制御部１０を備えている。制御部１０は、具体的にはCentral Processing Unit（ＣＰＵ）又はMicro Processing Unit（ＭＰＵ）等により構成してある。制御部１０は、Read Only Memory（ＲＯＭ）１１に予め記憶されたプログラム及びデータを読み出して実行することによって、ＭＦＰ１の各部の動作を制御すると共に、種々のソフトウェア的機能を実現する。例えば図１に示すように、プログラムの実行によって、制御部１０は、検出部１０１、受付部１０２、サイズ判定部１０３、給紙判定部１０４、給紙制御部１０５及び排紙制御部１０６（詳細は後述する）等として機能する。
【００２２】
ＲＯＭ１１は、マスクＲＯＭ又はフラッシュメモリ等の不揮発性メモリ素子により構成してあり、ＭＦＰ１の動作に必要な種々のソフトウェアプログラムが予め記憶してある。
また、制御部１０は、演算処理及び制御処理等を行う際に発生する一時的なデータをRandom Access Memory（ＲＡＭ）１２に記憶するようにしてある。ＲＡＭ１２は、例えばStatic RAM（ＳＲＡＭ）又はDynamic RAM（ＤＲＡＭ）等の書き換え可能なメモリ素子により構成してある。
【００２３】
ＭＦＰ１は、ファクシミリ機能を実現するためのハードウェアとして、Network Control Unit（ＮＣＵ）１３及びモデム１４を備えている。ＮＣＵ１３は、公衆電話回線網９０との回線の閉結及び開放の動作を行うハードウェアであり、公衆電話回線網９０とモデム１４とのインタフェース回路を有している。
【００２４】
モデム１４は、公衆電話回線網９０を介して他のＭＦＰ１などとファクシミリ通信を行うためのハードウェアである。データの送信を行う場合、モデム１４は、原稿を読み取って得られた画像のデジタルデータをアナログの音声信号に変換して送信する。また、データの受信を行う場合、モデム１４は、公衆電話回線網９０を介して受信したアナログの音声信号をデジタルデータの画像に変換する。モデム１４は、他のＭＦＰ１からの画像を受信した場合、制御部１０へこの旨を通知する。
【００２５】
また、ＭＦＰ１は、コピー機能、ファクシミリ機能及びスキャナ機能等を利用する際に原稿の読み取りを行う原稿読取部１５を備えている。原稿読取部１５は、Charge Coupled Device（ＣＣＤ）などのセンサを有する光学ユニットにて原稿の読み取りを行い、読み取りにより取得した画像を画像メモリ１６に記憶する。また、原稿読取部１５は、自動原稿送り装置を有しており、複数頁の原稿を自動的に読み取ることができる。
【００２６】
画像メモリ１６は、モデム１４がファクシミリ通信により受信した画像、及び原稿読取部１５が読み取った画像等を一時的に記憶する。画像メモリ１６は、ＤＲＡＭ又はフラッシュメモリ等の大容量でデータ書き換えが可能なメモリ素子で構成されている。なお、ＭＦＰ１は、ＲＡＭ１２及び画像メモリ１６を１つのメモリ素子で共用する構成であってもよい。
【００２７】
ＭＦＰ１は、ユーザの操作を受け付けるための操作部１７を備えている。ユーザは操作部１７を操作することによって用紙のサイズ及び画像形成の濃度等の設定を行うことができる。操作部１７は、スタートスイッチ、ファンクションスイッチ及びテンキー等の各種の操作用の複数のスイッチで構成されている。操作部１７は、受け付けたユーザによる操作の内容を制御部１０へ通知する。
【００２８】
また、ＭＦＰ１は、液晶ディスプレイなどによる表示部１８を備えている。表示部１８は、ユーザがＭＦＰ１を操作するためのメニュー及び設定項目、並びにＭＦＰ１の動作状態等を表示することができる。更には、ＭＦＰ１に紙詰まりなどの不具合が生じた場合に、表示部１８は各種の警告メッセージを表示して、不具合の発生をユーザに報知することができる。なお、操作部１７及び表示部１８をタッチパネルとして一体的に設ける構成であってもよい。
【００２９】
ＭＦＰ１は、ＰＣ２との間でデータの送受信を行う通信部１９を備えている。通信部１９は、通信ケーブルを接続するためのコネクタを有しており、通信ケーブルを介してＰＣ２に接続される。通信部１９は、ＰＣ２から受信した画像を画像メモリ１６に記憶し、ＰＣ２からの処理要求を受信して制御部１０へ通知する。制御部１０は、ＰＣ２からの処理要求に応じて、ファクシミリ通信による画像の送信又は用紙への画像の形成等を行う。また、通信部１９は、ファクシミリ通信にて受信した画像又は原稿読取部１５にて読み取った画像等をＰＣ２へ送信することもできる。
【００３０】
また、ＭＦＰ１は、ファクシミリ通信にて受信した画像、原稿読取部１５にて読み取った画像又はＰＣ２からの画像等を用紙に形成するための画像形成部２０を備えている。画像形成部２０は、半導体レーザ又はLight Emitting Diode（ＬＥＤ）等の光源、トナーを付着させるための感光ドラム２１、並びにトナーを熱及び圧力で用紙へ転写して定着させる定着器２２等を有する。画像形成部２０は、制御部１０の制御に応じて画像メモリ１６に記憶された画像を読み出して、用紙への画像形成を行う。
【００３１】
ＭＦＰ１は、数十枚〜数百枚の用紙を収容する用紙トレイ５１（図２参照）を複数備えると共に、数枚〜十数枚の用紙を載置する手差トレイ５２（図２参照）を備えている。ＭＦＰ１が画像形成を行う際には、用紙トレイ５１又は手差トレイ５２から給紙ローラ３２及びレジストローラ３１が用紙を画像形成部２０へ搬送する。ＭＦＰ１は、給紙ローラ３２、レジストローラ３１及び搬送ローラ３３等の複数のローラを有しており、制御部１０の制御に応じてこれらのローラを回転さることで用紙の搬送を行うことができる。給紙ローラ３２は、各トレイからレジストローラ３１まで用紙を供給するためのローラである。レジストローラ３１は、用紙に感光ドラム２１上のトナー像が同期して転写されるように、用紙を画像形成部２０へ搬送するタイミングを制御するためのローラである。搬送ローラ３３は、ＭＦＰ１に設けられたその他のローラであり、搬送経路に従って用紙を搬送するための複数のローラである。
【００３２】
ＭＦＰ１の筺体内には、用紙トレイ５１又は手差トレイ５２から画像形成部２０までの搬送経路、及び画像形成部２０から排紙口までの搬送経路など、用紙を搬送するための搬送経路が設けてある。また、ＭＦＰ１は、用紙トレイ５１又は手差トレイ５２から画像形成部２０までの搬送経路の所定位置にて、用紙の搬送を検知する用紙センサ４１を備えている。用紙センサ４１は、搬送経路の所定位置に用紙が存在するか否かを検知することができ、これにより所定位置に用紙の先端又は後端が到達したか否かを検知することができる。用紙センサ４１は、検知結果を制御部１０へ通知する。
【００３３】
図２は、ＭＦＰ１が備える用紙の搬送経路の構成を示す模式図である。なお図２においては、用紙の搬送経路を実線で示し、用紙を搬送するための各種のローラを円形で示し、搬送経路中の用紙を検知する各種のセンサを三角形で示してある。図示の例では、ＭＦＰ１は４つの用紙トレイ５１と１つの手差トレイ５２とを備えている。４つの用紙トレイ５１は、ＭＦＰ１の上下方向に並べて設けてあり、Ｂ５サイズ、Ａ４サイズ、Ｂ４サイズ及びＡ３サイズのようにそれぞれ異なるサイズの用紙を収容することができる。また、ＭＦＰ１には、各トレイからレジストローラ３１へ至る搬送経路がそれぞれ設けてある。
【００３４】
画像形成を行う場合、まず制御部１０は、ユーザの設定などに応じて給紙制御部１０５にて給紙ローラ３２を回転させ、いずれかのトレイから用紙をレジストローラ３１まで搬送する。ＭＦＰ１は、用紙の搬送が完了したか否かを、レジストローラ３１の手前に設けられた用紙センサ４１により検知することができる。
【００３５】
制御部１０は、画像形成部２０にて画像形成を行う準備が整った後、レジストローラ３１に用紙の搬送許可を与える。これにより、レジストローラ３１は画像形成部２０へ用紙の搬送を行う。画像形成部２０は、形成する画像に応じた光を感光ドラム２１に照射し、感光ドラム２１にトナーを付着させ、付着したトナーを用紙へ転写し、定着器２２にて熱及び圧力等を加えてトナーを定着させることで用紙に画像を形成する。
【００３６】
ＭＦＰ１には、画像形成部２０から排紙口５３又は反転部５４への２つの搬送経路が設けてある。画像形成部２０にて画像が形成された用紙は、反対面に画像を形成するか否かに応じて、排紙口５３又は反転部５４へ搬送される。搬送先の切り替えは、図示しない切替機構を制御部１０が制御することによって行うことができる。
【００３７】
反転部５４は用紙の搬送経路の一部分であり、反転部５４の出入口には、画像形成部２０の出口からの搬送経路と、画像形成部２０の入口へ至る搬送経路との２つの搬送経路が通じている。反転部５４は、画像形成部２０の出口からの搬送経路から送り込まれた用紙を、この送り込みの反対方向へ、画像形成部２０の入口へ至る搬送経路へ送り出す。これにより、表面に画像が形成された用紙は、反転部５４にて反転されて、画像形成部２０へ再搬送される。これによりＭＦＰ１は、用紙の両面に画像を形成することができる。
【００３８】
操作部１７に対するユーザの操作、ＰＣ２からの指示、又は他のＭＦＰ１によるファクシミリ通信の受信等により、制御部１０は画像形成の開始指示を受け付ける。まず制御部１０は、給紙制御部１０５にて給紙ローラ３２を制御し、用紙をレジストローラ３１まで給紙する。
【００３９】
レジストローラ３１は、画像形成部２０の画像形成部２０による画像の形成が可能な状態であれば、用紙の搬送を行う。例えばファクシミリ通信などで画像の受信が完了していない場合など、画像の形成が不可能な状態であれば、レジストローラ３１は画像形成部２０による画像の形成が可能となるまで待機する。画像形成が可能となった場合、レジストローラ３１は画像形成部２０へ用紙を搬送し、画像形成部２０がこの用紙に画像を形成する。
【００４０】
複数枚の画像形成が指示されている場合、制御部１０は給紙ローラ３２により用紙トレイ５１又は手差トレイ５２から用紙を連続的に給紙し、画像形成部２０にて連続的に画像を形成することができる。このときに制御部１０は、ユーザが設定した用紙のサイズに応じた周期で給紙及び搬送等を行う。この周期は、設定された用紙の搬送に要する時間と、先行の用紙及び後続の用紙が搬送経路中にて衝突することのない十分な紙間を設けるために要する時間とを基に決定される。よって、ユーザが適切に用紙のサイズを設定していない場合に、ＭＦＰ１は、搬送経路中にて先行の用紙及び後続の用紙が衝突するなどの不具合を生じる虞がある。本実施の形態に係るＭＦＰ１は、制御部１０の検出部１０１、受付部１０２、サイズ判定部１０３、給紙判定部１０４、給紙制御部１０５及び排紙制御部１０６が以下の処理を行うことによって、この問題を回避している。
【００４１】
制御部１０の検出部１０１は、用紙センサ４１から通知された検知結果を基に、用紙のサイズ（搬送方向の長さ）を検出する処理を行う。検出部１０１は、１つの用紙について用紙センサ４１が先端を検知してから後端を検知するまでの時間と、用紙の搬送速度とから用紙の長さを検出することができる。検出部１０１は、検出した用紙のサイズをサイズ判定部１０３へ知らせる。
【００４２】
制御部１０の受付部１０２は、ユーザが操作部１７へ与えた操作に基づいて、用紙のサイズに係る設定を受け付ける処理を行う。また、受付部１０２は、ＰＣ２から通信部１９を介して与えられた設定を受け付けることもできる。例えばユーザは、ＭＦＰ１が備える複数の用紙トレイ５１について、予め収容する用紙のサイズをそれぞれ設定しておく。受付部１０２は、用紙のサイズに係る設定を受け付けて記憶しておくと共に、サイズ判定部１０３へ用紙のサイズに係る設定を知らせる。
【００４３】
制御部１０のサイズ判定部１０３は、検出部１０１が検出した用紙のサイズと、受付部１０２が受け付けた用紙のサイズの設定とを比較する処理を行う。サイズ判定部１０３は、比較結果として、両サイズが一致したか否か、及び一致しない場合にはいずれのサイズが大きい（又は小さいか）等の情報を給紙制御部１０５へ与える。また、制御部１０の給紙判定部１０４は、用紙トレイ５１又は手差トレイ５２から給紙ローラ３２によって給紙が行われているか否かを判定する処理を行う。給紙判定部１０４は判定結果を給紙制御部１０５へ与える。
【００４４】
制御部１０の給紙制御部１０５は、サイズ判定部１０３による判定結果と、給紙判定部１０４による判定結果とを基に給紙ローラ３２の回転を制御して、用紙トレイ５１又は手差トレイ５２からの給紙を制御する処理を行う。
【００４５】
図３は、用紙のサイズと給紙の周期との対応を説明するための模式図である。例えば、ユーザが給紙トレイ５１に収容する用紙をＢ４と設定し、実際に用紙トレイ５１にＢ４の用紙を収容した場合を考える（図３上段参照）。Ｂ４の用紙を給紙又は搬送するのに要する時間をＴｂ４とし、必要な紙間を設けるのに要する時間をＴ０とした場合、制御部１０の給紙制御部１０５は周期Ｔ１＝Ｔｂ４＋Ｔ０で給紙を行う。
【００４６】
同様に、ユーザが給紙トレイ５１に収容する用紙をＡ３と設定し、実際に用紙トレイ５１にＡ３の用紙を収容した場合を考える（図３中段参照）。Ａ３の用紙を給紙又は搬送するのに要する時間をＴａ３とし、必要な紙間を設けるのに要する時間をＴ０とした場合、制御部１０の給紙制御部１０５は周期Ｔ２＝Ｔａ３＋Ｔ０で給紙を行う。この場合、Ｔａ３＞Ｔｂ４であるため、Ｔ２＞Ｔ１である。
【００４７】
ここで、ユーザが給紙トレイ５１に収容する用紙をＢ４と設定し、実際に用紙トレイ５１にＡ３の用紙を収容した場合を考える（図３下段参照）。即ち、ユーザが用紙サイズを誤って設定した場合である。この場合に給紙を周期Ｔ１で行うと、紙間を設けるための時間がＴ０’（Ｔ０’＜Ｔ０）と短くなり、紙間が狭まる。（なお、ユーザが給紙トレイ５１に収容する用紙をＢ４と設定し、実際に用紙トレイ５１にＡ３の用紙を収容した場合（図示は省略する）は、紙間が広がるため、用紙の衝突は発生しない。）
【００４８】
よって、給紙制御部１０５は、サイズ判定部１０３にて検出部１０１が検出した用紙のサイズが受付部１０２にて受け付けた用紙のサイズより大きい場合、且つ、後続の用紙が給紙中の場合には、給紙を一時的に停止する。その後、給紙制御部１０５は、十分な紙間を得ることができる所定時間を待って、後続の用紙の給紙を再開する。例えば、図３下段の場合、給紙を待機する所定時間は（Ｔ２−Ｔ１）であればよい。これにより、先行の用紙と後続の用紙との紙間を所定時間（Ｔ２−Ｔ１）の分だけ広げることができる。
【００４９】
ただし、給紙制御部１０５は、実際に搬送された用紙のサイズについての情報を取得していない。このため、ＭＦＰ１が扱うことのできる最大サイズの用紙を給紙する周期をＴｍａｘとし、設定されたサイズの用紙を給紙する周期をＴとした場合、給紙制御部１０５は所定時間（Ｔｍａｘ−Ｔ）を待機する。なお、ＭＦＰ１が扱うことのできる用紙の最大サイズは、例えば用紙トレイ５１又は手差トレイ５２に収容することができる用紙のサイズなどから予め決定することができる。また、用紙搬送路を搬送することができる用紙のサイズ、又は画像形成部２０が１度に画像を形成することができる用紙のサイズ等から最大サイズを決定してもよい。
【００５０】
なお、サイズ判定部１０３にて検出部１０１が検出した用紙のサイズが受付部１０２にて受け付けた用紙のサイズより大きい場合であっても、後続の用紙が給紙中でなければ、給紙制御部１０５は後続の用紙の給紙を中止する。
【００５１】
その後、制御部１０の排紙制御部１０６は、レジストローラ３１及び搬送ローラ３３の回転を制御して、既に給紙された用紙を排紙口５３まで搬送する処理を行う。これらの処理と並行して、又はこれらの処理の終了後に、制御部１０は、表示部１８に設定された用紙のサイズに誤りがある旨を報知するメッセージを表示する。
【００５２】
図４は、本発明に係るＭＦＰ１が行う給紙処理の手順を示すフローチャートであり、制御部１０が行う処理である。ただし図４には、制御部１０の受付部１０２による用紙のサイズの受け付けが完了した後の手順についてを示してある。また図４は、先行の用紙の給紙を終了した後の手順、即ち後続の用紙の給紙の手順を示してある。
【００５３】
まずＭＦＰ１の制御部１０は、検出部１０１にて給紙した先行の用紙のサイズを検出し（ステップＳ１）、検出した用紙のサイズが設定された用紙のサイズに一致するか否かをサイズ判定部１０３にて判定する（ステップＳ２）。サイズが一致する場合は（Ｓ２：ＹＥＳ）、制御部１０は、設定された用紙のサイズに応じた通常の周期で後続の用紙の給紙を行い（ステップＳ３）、ステップＳ１へ戻る。
【００５４】
検出した用紙のサイズが設定された用紙のサイズに一致しない場合（Ｓ２：ＮＯ）、制御部１０は、検出した用紙のサイズが設定された用紙のサイズより大きい（長い）か否かをさらに調べる（ステップＳ４）。検出した用紙のサイズが設定された用紙のサイズより小さい（短い）場合（Ｓ４：ＮＯ）、制御部１０はステップＳ１１へ進む。
【００５５】
検出した用紙のサイズが設定された用紙のサイズより大きい場合（Ｓ４：ＹＥＳ）、制御部１０は、給紙判定部１０４にて後続の用紙が給紙中であるか否かを調べる（ステップＳ５）。後続の用紙が給紙中の場合（Ｓ５：ＹＥＳ）、制御部１０は、給紙制御部１０５により給紙を一時的に停止する（ステップＳ６）。その後、制御部１０の給紙制御部１０５は、所定時間（Ｔｍａｘ−Ｔ）を待機して（ステップＳ７）、後続の用紙の給紙を再開する（ステップＳ８）。給紙を再開した後、制御部１０は給紙を完了してステップＳ１１へ進む。
【００５６】
後続の用紙が給紙中でない場合（Ｓ５：ＮＯ）、制御部１０は、後続の用紙が給紙済みであるか否かを更に調べる（ステップＳ９）。後続の用紙が給紙済みでない場合（Ｓ９：ＮＯ）、即ち未給紙の場合には、制御部１０の給紙制御部１０５は後続の用紙の給紙を中止し（ステップＳ１０）、ステップＳ１１へ進む。後続の用紙が給紙済みの場合（Ｓ９：ＹＥＳ）、制御部１０はステップＳ１１へ進む。
【００５７】
上記の処理を終了した後、制御部１０は、排紙制御部１０６によりＭＦＰ１内の搬送経路に残留した用紙を排紙口５３まで搬送することによって排紙を行う（ステップＳ１１）。排紙を終了した後、制御部１０は、表示部１８に報知のためのメッセージを表示して（ステップＳ１２）、処理を終了する。
【００５８】
以上の構成のＭＦＰ１は、検出部１０１が検出した用紙のサイズが受付部１０２が受け付けた用紙のサイズより大きい場合に、後続の用紙の給紙を所定時間（Ｔｍａｘ−Ｔ）待機させる。これにより、ＭＦＰ１にて先行の用紙と後続の用紙とが重なって搬送されることを防止できるため、用紙のサイズの誤設定に伴って発生する紙詰まりなどの不具合を防止できる。
【００５９】
なお、本実施の形態においては、ＭＦＰ１の給紙制御部１０５による待機時間を（Ｔｍａｘ−Ｔ）としたが、これに限るものではなく、先行の用紙と後続の用紙との紙間を十分に広げることのできる待機時間であればよい。また、ＭＦＰ１は、表示部１８にメッセージを表示することによって不具合が生じたことを報知する構成としたが、これに限るものではなく、警告音又は音声メッセージ等を出力して報知を行う構成としてもよい。
【００６０】
（変形例）
上述の実施の形態に係るＭＦＰ１では、設定されたサイズより用紙のサイズが大きく、且つ、後続の用紙が給紙済みの場合、即ち図４に示す手順においてステップＳ９：ＹＥＳの場合に、先行の用紙と後続の用紙とが衝突する虞がある。そこで、変形例に係るＭＦＰ１は、給紙ローラ３２により後続の用紙が給紙された後、レジストローラ３１及び搬送ローラ３３等の他のローラを制御して後続の用紙の搬送を一時停止する。これにより、先行の用紙と後続の用紙とが衝突して重送ジャムが発生する可能性をより低減することができる。
【００６１】
図５は、変形例に係るＭＦＰ１が行う給紙処理の手順を示すフローチャートである。なお、図示のフローチャートのステップＳ１からＳ８までの処理は、図４に示すフロートの処理と同じであるため、説明は省略する。
【００６２】
ステップＳ５にて後続の用紙が給紙中でない場合（Ｓ５：ＮＯ）、制御部１０は、後続の用紙が給紙済みであるか否かを更に調べる（ステップＳ２１）。後続の用紙が給紙済みでない場合（Ｓ２１：ＮＯ）、即ち未給紙の場合には、制御部１０の給紙制御部１０５は後続の用紙の給紙を中止し（ステップＳ２２）、ステップＳ１１へ進む。
【００６３】
後続の用紙が給紙済みの場合（Ｓ２１：ＹＥＳ）、制御部１０は、レジストローラ３１及び搬送ローラ３３の回転を制御して後続の用紙の搬送を一時的に停止する（ステップＳ２３）。その後、制御部１０は所定時間を待機して（ステップＳ２４）、後続の用紙の搬送を再開する（ステップＳ２５）。搬送を再開した後、制御部１０はステップＳ１１へ進む。なお、ステップＳ２４にて待機する所定時間は、ステップＳ７にて待機する所定時間と同じであってよい。
【００６４】
上記の処理を終了した後、制御部１０は、排紙制御部１０６によりＭＦＰ１内の搬送経路に残留した用紙を排紙口５３まで搬送することによって排紙を行う（ステップＳ１１）。排紙を終了した後、制御部１０は、表示部１８に報知のためのメッセージを表示して（ステップＳ１２）、処理を終了する。
【図面の簡単な説明】
【００６５】
【図１】本発明に係るＭＦＰの構成を示すブロック図である。
【図２】ＭＦＰが備える用紙の搬送経路の構成を示す模式図である。
【図３】用紙のサイズと給紙の周期との対応を説明するための模式図である。
【図４】本発明に係るＭＦＰが行う給紙処理の手順を示すフローチャートである。
【図５】変形例に係るＭＦＰが行う給紙処理の手順を示すフローチャートである。
【００６６】
１  ＭＦＰ
１０  制御部
１７  操作部
１８  表示部
２０  画像形成部
２１  感光ドラム
２２  定着器
３１  レジストローラ
３２  給紙ローラ
３３  搬送ローラ
４１  用紙センサ
５１  用紙トレイ
５２  手差トレイ
５３  排紙口
５４  反転部
【図１】
2009102099.tif 000003
【図２】
2009102099.tif 000004
【図３】
2009102099.tif 000005
【図４】
2009102099.tif 000006
【図５】
2009102099.tif 000007